(57)【特許請求の範囲】
【請求項１】
衣類掛け部の中央部分から複数の掛止部を上方に延出してなるハンガーと、このハンガーを複数並べて掛止部の夫々の列を形成する状態で配置された各列状の掛止部を支持し、互いに平行に配置された複数の棒体からなる吊持部材とを備え、
棒体には、所定の間隔で上面から下面に向かって、挿入孔とこの挿入孔よりもやや径の小さな掛止孔とを連通させ形成してなる平面視略瓢箪形状の掛止穴が形成されているとともに、掛止孔の下部には径を小径する方向にフランジ状の掛止段部が形成されており、
ハンガーの掛止部が、衣類掛け部から上方に延出された延出部と、延出部の先端に設けられた支柱と、支柱の上部に設けられた掛止球部とを有するとともに、延出部の径は掛止孔の下部開口の孔径よりもやや小さく形成され、支柱の径は掛止孔の下部開口の孔径よりも大きく、且つ、掛止孔の上部開口の孔径よりも小さく形成され、掛止球部の径は挿入孔の孔径よりも小さく、且つ、掛止孔の上部開口の孔径よりも大きく形成されており、
掛止部を挿入孔の下部開口から挿入して掛止孔の位置にずらし、支柱の下縁部を掛止段部に掛止することにより、吊持部材がハンガーを吊持することを特徴とする衣類吊持用ハンガー。
【発明の詳細な説明】
【０００１】
【発明の属する技術分野】
本発明は、洗濯用物干し及び衣服吊掛に用いられる衣類吊持用ハンガーに関するものである。
【０００２】
【従来の技術】
従来から、図６に示すような衣類吊持用ハンガー５が知られている。この衣類吊持用ハンガー５は棒状の吊持部材６・６に沿って所定間隔に複数のハンガー７・７・７・・を一体的に垂下したものであり、その吊持部材６・６には物干竿に吊るすために、先端にフック体を有する鎖が取り付けられている。
【０００３】
このような構成の衣類吊持用ハンガー５を使用して丸首セータ（以下単に「セータ」と言う。）を掛ける場合には、吊持部材６・６に列をなして吊持されているハンガー７・７・７・・のうちのセータを掛けようとするハンガーを選び、そして、セータの丸首開口から内部にハンガー７の衣類掛け部７ａを挿入させて、衣類掛け部７ａの上縁部分でセータの肩部分を支持させている。
【０００４】
【発明が解決しようとする課題】
上記のように構成されている衣類吊持用ハンガーは、所定の間隔で吊持部材に一体的にハンガーが垂下されているために、隣接するハンガーが邪魔になり、衣類が掛け難いと言う問題があった。加えて、ハンガーの衣類を支持する部分（以下、「衣類掛け部」と言う。）は衣類の肩を支持することができるように肩幅に近い大きさで形成されている。そのために、衣類掛け部はセータの首穴に無理やりに挿入され、丸首が伸ばされてしまい、丸首の形状が崩れてしまうという問題があった。
【０００５】
本発明は、上記の問題点に鑑みてなされたものであって、吊持部材に複数のハンガーが垂下できながらも、衣類を掛けようとするハンガーの隣接位置にある他のハンガーが邪魔にならず、加えて、首穴の小さい衣類であっても首穴部分が伸びず型崩れしない衣類吊持用ハンガーの提供を目的としている。
【０００６】
【課題を解決するための手段】
上記目的を達成する為に、請求項１に係る衣類吊持用ハンガーは、衣類掛け部の中央部分から複数の掛止部を上方に延出してなるハンガーと、このハンガーを複数並べて掛止部の夫々の列を形成する状態で配置された各列状の掛止部を支持し、互いに平行に配置された複数の棒体からなる吊持部材とを備え、棒体には、所定の間隔で上面から下面に向かって、挿入孔とこの挿入孔よりもやや径の小さな掛止孔とを連通させ形成してなる平面視略瓢箪形状の掛止穴が形成されているとともに、掛止孔の下部には径を小径する方向にフランジ状の掛止段部が形成されており、ハンガーの掛止部が、衣類掛け部から上方に延出された延出部と、延出部の先端に設けられた支柱と、支柱の上部に設けられた掛止球部とを有するとともに、延出部の径は掛止孔の下部開口の孔径よりもやや小さく形成され、支柱の径は掛止孔の下部開口の孔径よりも大きく、且つ、掛止孔の上部開口の孔径よりも小さく形成され、掛止球部の径は挿入孔の孔径よりも小さく、且つ、掛止孔の上部開口の孔径よりも大きく形成されており、掛止部を挿入孔の下部開口から挿入して掛止孔の位置にずらし、支柱の下縁部を掛止段部に掛止することにより、吊持部材がハンガーを吊持することを特徴とする。
【０００８】
【発明の実施の形態】
以下、図に基づいて本発明の実施の形態を説明する。
図１に示すように、衣類吊持用ハンガーは、吊持部材２に複数のハンガー３・３・３・・・を着脱自在に垂下したものである。
【０００９】
さらに、説明すると、上記吊持部材２は互いに平行に配置された２本の棒体２１・２１からなり、この２本の棒体２１・２１は連結杆２２・２２で連結されている。尚、連結杆２２・２２は略かすがい形状であり、中間部分の両側を下方に曲げて係止部を形成している。この連結杆２１・２１の係止部が一方の棒体２１と他方の棒体２１とを回動自在に繋ぎ留めている。
【００１０】
また、上記の棒体２１・２１には所定の間隔で上面から下面に向かって平面視略瓢箪形状の掛止穴２３が形成されている。この掛止穴２３は瓢箪形状の縁から下方に向かって縁壁が設けられ、この縁壁によって掛止穴２３は厚みのある瓢箪形状の穴となる。
【００１１】
さらに、図２、図３に示すように、厚みのある掛止穴２３は、挿入孔２３ａと、この挿入孔２３ａよりもやや径の小さな掛止孔２３ｂとを連通させ形成したものである。さらに、掛止孔２３ｂの下部には径を小径する方向にフランジ状の掛止段部２３ｃが形成されている。加えて言うと、上部開口の孔径Ｒ１が下部開口の孔径Ｒ２よりも大きく形成されていることにより、その境界部分には掛止段部２３ｃが形成される。
【００１２】
次に、図４中の符号３・３・３・・・はハンガーを示し、合成樹脂等からなり、衣類が掛けられる衣類掛け部３１・３１・３１・・・と、掛止部３２・３２・３２・・・とから構成されている。
【００１３】
さらに、説明すると、上記の衣類掛け部３１・３１・３１・・・は衣類の肩部分を支持するものであり、肩の大きさ、形に類似させて形成されている。また、衣類掛け部３１・３１・３１・・・の中央上部は上方に延出され、この延出部分には延出部３２ａ・３２ａと、延出部３２ａ・３２ａの先端に設けられた支柱３２ｂ・３２ｂと、この支柱３２ｂ、３２ｂの上部に設けられた掛止球部３２ｃ・３２ｃとが一体形成されている。
【００１４】
尚、延出部３２ａ・３２ａは掛止孔２３ｂ・２３ｂの下部開口の孔径Ｒ２よりもやや小さい径であり、また、支柱３２ａ・３２ａは、掛止孔２３ｂ・２３ｂの下部開口の孔径Ｒ２より大きく、且つ、掛止孔２３ｂ・２３ｂの上部開口の孔径Ｒ１よりも小さきな径で形成されている。さらに、掛止球部３２ｃは、挿入孔２３ａの径よりも小さく、且つ、掛止孔２３ｂ・２３ｂの上部開口の孔径Ｒ１よりも大きな径で形成されている。
【００１５】
上記構成の衣類吊持用ハンガー１は以下のように使用される。
先ず、図１、図５に示すように、吊持部材２に吊持されているハンガー３・３・３・・・のうちの衣類を掛けようとする所望のハンガー３を上方に持ち上げて、支柱３２ｂ・３２ｂの下縁部と掛止段部２３ｃ・２３ｃとの掛止状態を解除する。そして、この持ち上げた状態で吊持部材２の長手方向に沿って掛止部３２・３２を挿入孔２３ａ・２３ａの位置まで移動させる。そして、挿入孔２３ａ・２３ａから下方に引き抜き、所望のハンガー３を吊持部材２から外す。
【００１６】
そして、吊持部材２から取り外されたハンガー３にはセータ等の衣類が掛けられる。例えば、セータをハンガー３に掛ける場合には、セータの胴回り開口からハンガー３の衣類掛け部３１をセータ内に挿入して、掛止部３２・３２を丸首開口から外に出す。そして、この掛止部３２・３２を、棒体２１・２１にある掛止穴２３・２３の挿入孔２３ａ・２３ａに挿入し、この挿入した掛止部３２を掛止孔２３ｂ・２３ｂの位置にずらし、支柱３２ｂ・３２ｂの下縁部を掛止段部２３ｃ・２３ｃに掛止させる。これによって、衣類が掛けられた状態でハンガー３が吊持部材２に吊持される。
【００１７】
即ち、吊持部材２に取り付けられている複数個のハンガー３・３・３・・・の中から所望のハンガー３が取り外せるので、吊持部材２に取り付けられている他のハンガー３・３・３・・が邪魔にならず衣類を掛けることができ、扱い易いものとなる。加えて、吊持部材２から分離されたハンガー３はセータの胴回りの開口から内部に挿入して衣類掛け部３１の上縁部分に衣類の肩部分を支持することができるので、首穴の小さい衣類であっても首穴部分が伸びず型崩れしない。
【００１８】
また、吊持部材２の棒体２１・２１は連結杆２２・２２で回動自在に連結され、ハンガー３・３・３・・・・の掛止部３２・３２が回動自在に棒体２１・２１に掛止されているので、衣類吊持用ハンガー１を使用しないときには、折り畳んで狭い保管場所に収納することができ、より扱い易いものとなる。
【００１９】
【発明の効果】
請求項１に係る衣類吊持用ハンガーによれば、吊持部材に吊持されている複数のハンガーは、衣類掛け部が掛止部を介して吊持部材に着脱自在に吊持されているので、衣類をハンガーに掛けようとするときには掛けようとするハンガーを吊持部材から取り外し、この取り外したままで衣類を掛けることができる。これによって、衣類を掛けるときに、吊持部材に取り付けられている他のハンガーが邪魔にならず衣類を掛けることができるとともに、吊持部材から分離したハンガーが衣類の胴回り開口から内部に挿入することができるので、首穴の小さい衣類であっても首穴部分が伸びず型崩させずに衣類を掛けることができ、一層、扱い易いものとなる。
【図面の簡単な説明】
【図１】本発明に係る衣類吊持用ハンガーの斜視図である。
【図２】衣類吊持用ハンガーの吊持部材の要部拡大平面図である。
【図３】衣類吊持用ハンガーの吊持部材の要部拡大断面図である。
【図４】衣類吊持用ハンガーに吊持されているハンガーの正面図である。
【図５】衣類吊持用ハンガーの吊持部材とハンガーとの吊持状態の説明図である。
【図６】従来の衣類吊持用ハンガーの斜視図である。
【符号の説明】
１      衣類吊持用ハンガー
２      吊持部材
２１    棒体
２２    連結杆
２３    掛止穴
２３ａ  挿入孔
２３ｂ  掛止孔
３      ハンガー
３１    衣類掛け部
３２    掛止部
３２ａ  延出部
３２ｂ  支柱
３２ｃ  掛止球部
【図１】
0003721217.tif 000002
【図２】
0003721217.tif 000003
【図３】
0003721217.tif 000004
【図４】
0003721217.tif 000005
【図５】
0003721217.tif 000006
【図６】
0003721217.tif 000007